(57)【要約】      （修正有）【課題】一つの動作で、キャップとセプタムとを分けつつバイアル瓶から取り外すことができるデキャッパを提供する。【解決手段】樹脂製のセプタムと金属製のキャップとからなる蓋体をバイアル瓶から取り外すために用いられるデキャッパ１０１であって、第一部材１１０の第一窪み１１１ａの深さは、第二部材１２０の第二窪み１２１ａの深さより浅くなっており、かつ、第一部材１１０のグリップ部１１２と第二部材１２０のグリップ部１２２とが近づくように回転された際には、第一部材１１０の一端部のキャッチ部１１１と第二部材１２０の一端部のキャッチ部１２１とが、水平面に対して所定の角度をもって近づくように構成する。【選択図】図１
0003194327.tif 000002
【実用新案登録請求の範囲】
【請求項１】
樹脂製のセプタムと金属製のキャップとからなる蓋体をバイアル瓶から取り外すために用いられ、
一端部にキャッチ部が形成されるとともに他端部にグリップ部が形成された第一部材と、
一端部にキャッチ部が形成されるとともに他端部にグリップ部が形成された第二部材と、
前記第一部材の中央部と前記第二部材の中央部とが回動可能となるように連結する回転軸部とを備え、
前記第一部材のキャッチ部の内側には、前記蓋体が挿入されるための第一窪みが形成されるとともに、前記第二部材のキャッチ部の内側には、前記蓋体が挿入されるための第二窪みが形成されたデキャッパであって、
前記第一窪みの深さは、前記第二窪みの深さより浅くなっており、かつ、
前記第一部材の他端部のグリップ部と前記第二部材の他端部のグリップ部とが近づくように回転させた際には、前記第一部材の一端部のキャッチ部と前記第二部材の一端部のキャッチ部とが、水平面に対して所定の角度をもって近づくように構成されていることを特徴とするデキャッパ。
【考案の詳細な説明】
【技術分野】
【０００１】
本考案は、樹脂製のセプタムと金属製のキャップとからなる蓋体をバイアル瓶から取り外すためのデキャッパに関する。
【背景技術】
【０００２】
従来より、液体試料を収容した複数のバイアル瓶を並べて配置しておき、オートサンプラ（自動試料採取装置）を用いて、順次分析装置内に液体試料を取り込むガスクロマトグラフ質量分析装置（ＧＣ／ＭＳ）が開示されている（例えば、特許文献１参照）。このようなバイアル瓶の開口部には、内部をシールするために、蓋体がクリンプ止めされている。
【０００３】
ここで、図５は、バイアル瓶の一例を示す図であって、図５（ａ）は断面図、図５（ｂ）は平面図である。なお、地面に水平な一方向をＸ方向とし、地面に水平でＸ方向と垂直な方向をＹ方向とし、Ｘ方向とＹ方向とに垂直な方向をＺ方向とする。
バイアル瓶１０は、ガラス製であり、底面を有する円筒形状をしており、その円筒形状の上部外周面には、外側に所定長さで突出する水平部１１が設けられている。
【０００４】
蓋体２０は、テフロン（登録商標）製（樹脂製）のセプタム３０と、アルミニウム製（金属製）のキャップ４０とを備える。
セプタム３０は、円板状体であり、バイアル瓶１０の開口部を塞ぐように、バイアル瓶１０の水平部１１上面に載置されるようになっている。
キャップ４０は、円筒状体４１と、円筒状体４１の上部内周面に内側に所定長さで突出する水平部４２とを有する。
【０００５】
このようなバイアル瓶１０と蓋体２０とにおいて、バイアル瓶１０の内部に液体試料Ｓを収容した後、バイアル瓶１０の水平部１１の上面にセプタム３０を載置して、さらにバイアル瓶１０の水平部１１を、キャップ４０の円筒状体４１内部に挿入しながらセプタム３０の上面にキャップ４０の水平部４２を載置する。つまり、バイアル瓶１０の水平部１１の上面とキャップ４０の水平部４２の下面との間に、セプタム３０の周縁部を挟持して固定する。その後、キャップ４０の円筒状体４１の下部を、クリンプ工具等を用いて内側に向かって折り曲げ、バイアル瓶１０の水平部１１の下面にキャップ４０の円筒状体４１の下部の内周面を当接させることにより、バイアル瓶１０と蓋体２０とを固定している。
そして、ＧＣ／ＭＳにおいて液体試料Ｓを分析する際には、オートサンプラのニードルでセプタム３０の中央部を上下方向に貫通させて、ニードルをバイアル瓶１０内部に挿入することで、バイアル瓶１０内部から液体試料Ｓを吸引採取している。
【０００６】
ところで、ＧＣ／ＭＳで液体試料Ｓの分析を終了した後には、使用した液体試料Ｓや蓋体２０やバイアル瓶１０を処分することになるが、セプタム３０はテフロン製、キャップ４０はアルミニウム製、そしてバイアル瓶１０はガラス製であるため、それぞれ分別して廃棄する必要がある。
【０００７】
このとき、バイアル瓶１０には蓋体２０がクリンプ止めされているので、バイアル瓶１０から蓋体２０を取り外すために、デキャッパが用いられることになる。図６は、従来のデキャッパの一例を示す図であって、図６（ａ）はデキャッパの裏面図であり、図６（ｂ）は図６（ａ）に示すＢ−Ｂ線断面図である。
デキャッパ２０１は、一端部にキャッチ部２１１が形成されるとともに他端部にグリップ部２１２が形成された水平方向に所定長さを有する第一部材２１０と、一端部にキャッチ部２２１が形成されるとともに他端部にグリップ部２２２が形成された水平方向に所定長さを有する第二部材２２０と、第一部材２１０の中央部と第二部材２２０の中央部とがＺ方向を回転軸として回動可能となるように連結する回転軸部２３０とを備える。
【０００８】
第一部材２１０のキャッチ部２１１は、円弧部が外側に向いた半円柱状体であり、その半円柱状体の内側の下面には、蓋体２０の左半分が挿入されるための第一窪み２１１ａが形成されている。第一窪み２１１ａは、その深さがＺ’となり、かつ、中心軸がＺ方向となる半円柱形状をしている。
また、第二部材２２０のキャッチ部２２１は、円弧部が外側に向いた半円柱状体であり、その半円柱状体の内側の下面には、蓋体２０の右半分が挿入されるための第二窪み２２１ａが形成されている。第二窪み２２１ａは、その深さがＺ’となり、かつ、中心軸がＺ方向となる半円柱形状をしている。
【０００９】
そして、第一部材２１０の他端部のグリップ部２１２と第二部材２２０の他端部のグリップ部２２２とが近づくように回転することで、第一部材２１０の一端部のキャッチ部２１１と第二部材２２０の一端部のキャッチ部２２１とが近づくようになっている。一方、第一部材２１０の他端部のグリップ部２１２と第二部材２２０の他端部のグリップ部２２２とが離れるように回転することで、第一部材２１０の一端部のキャッチ部２１１と第二部材２２０の一端部のキャッチ部２２１とが離れるようになっている。
【００１０】
ここで、上述したデキャッパ２０１の使用方法について説明する。図７〜図９は、使用方法について説明するための図である。
まず、使用者は第一部材２１０の他端部のグリップ部２１２と第二部材２２０の他端部のグリップ部２２２とを手で握り、第一部材２１０の他端部のグリップ部２１２と第二部材２２０の他端部のグリップ部２２２とが離れるように回転させることにより、第一部材２１０の一端部のキャッチ部２１１と第二部材２２０の一端部のキャッチ部２２１とを所定の距離で離隔させて、その間にバイアル瓶１０を配置する。
次に、使用者は、第一部材２１０の他端部のグリップ部２１２と第二部材２２０の他端部のグリップ部２２２とが近づくように回転させることにより、第一部材２１０の一端部のキャッチ部２１１を左方から近接させるとともに第二部材２２０の一端部のキャッチ部２２１を右方から近接させて、バイアル瓶１０にクリンプ止めされた蓋体２０のキャップ４０の上半分を第一窪み２１１ａの内側と第二窪み２２１ａの内側とで挟み込む（図７参照）。
【００１１】
さらに使用者は、第一部材２１０の他端部のグリップ部２１２と第二部材２２０の他端部のグリップ部２２２とが近づくように回転させることにより、第一部材２１０の一端部のキャッチ部２１１と第二部材２２０の一端部のキャッチ部２２１とをそれぞれ近接させて、キャップ４０の上半分を内側に押し込むとともに、キャップ４０の下半分を外側に引き出す（図８参照）。
そして、キャップ４０の下半分が外側に所定の距離だけ引き出されると、デキャッパ２０１を上方に動かすことで、バイアル瓶１０から蓋体２０を取り外している（図９参照）。
【先行技術文献】
【特許文献】
【００１２】
【特許文献１】特開平１０−１０４２４１号公報
【考案の概要】
【考案が解決しようとする課題】
【００１３】
ところで、デキャッパ２０１を用いて蓋体２０を取り外した際には、少々押しつぶされたセプタム３０とキャップ４０とが一体化しており、キャップ４０からセプタム３０を取り外すために、ドライバ等を突っ込んで分離するといった作業を行う必要があり、手間がかかっていた。
そこで、本考案は、一つの動作で、キャップとセプタムとを分けつつバイアル瓶から取り外すことができるデキャッパの提供を目的とする。
【課題を解決するための手段】
【００１４】
上記課題を解決するためになされた本考案のデキャッパは、樹脂製のセプタムと金属製のキャップとからなる蓋体をバイアル瓶から取り外すために用いられ、一端部にキャッチ部が形成されるとともに他端部にグリップ部が形成された第一部材と、一端部にキャッチ部が形成されるとともに他端部にグリップ部が形成された第二部材と、前記第一部材の中央部と前記第二部材の中央部とが回動可能となるように連結する回転軸部とを備え、前記第一部材のキャッチ部の内側には、前記蓋体が挿入されるための第一窪みが形成されるとともに、前記第二部材のキャッチ部の内側には、前記蓋体が挿入されるための第二窪みが形成されたデキャッパであって、前記第一窪みの深さは、前記第二窪みの深さより浅くなっており、かつ、前記第一部材の他端部のグリップ部と前記第二部材の他端部のグリップ部とが近づくように回転させた際には、前記第一部材の一端部のキャッチ部と前記第二部材の一端部のキャッチ部とが、水平面に対して所定の角度をもって近づくように構成されていることを特徴としている。
【００１５】
ここで、「水平面に対して所定の角度をもつ」とは、水平面ではないことをいい、例えば、水平面に対して傾いた面等となる。
本考案のデキャッパによれば、まず、使用者は第一部材の他端部のグリップ部と第二部材の他端部のグリップ部とを手で握り、第一部材の他端部のグリップ部と第二部材の他端部のグリップ部とが離れるように回転させることにより、第一部材の一端部のキャッチ部と第二部材の一端部のキャッチ部とを所定の距離で離隔させて、その間にバイアル瓶を配置する。このとき、デキャッパを水平面に対して所定の角度αだけ傾けておく。
【００１６】
次に、使用者は、第一部材の他端部のグリップ部と第二部材の他端部のグリップ部とが近づくように回転させることにより、第一部材の一端部のキャッチ部を左上方から近接させるとともに第二部材の一端部のキャッチ部を右下方から近接させて、バイアル瓶にクリンプ止めされた蓋体のキャップの上半分を、深さの浅い第一窪みの内側と、深さの深い第二窪みの内側とで挟み込む。
【００１７】
さらに使用者は、第一部材の他端部のグリップ部と第二部材の他端部のグリップ部とが近づくように回転させることにより、第一部材の一端部のキャッチ部と第二部材の一端部のキャッチ部とをそれぞれ近接させて、キャップの上半分を内側に押し込むとともに、キャップの下半分を外側に引き出す。このとき、第一部材の一端部のキャッチ部を左上方から近接させるとともに第二部材の一端部のキャッチ部を右下方から近接させるので、セプタムの左部が下方にずれていく。
そして、キャップの下半分が外側に所定の距離だけ引き出されると、上方にデキャッパを動かしてバイアル瓶からキャップとセプタムとを分離しながら取り外す。
【考案の効果】
【００１８】
以上のように、本考案のデキャッパによれば、従来のものに比して分別操作を容易に、或いは、分別に要する時間を節約することができる。
【図面の簡単な説明】
【００１９】
【図１】本考案に係るデキャッパの一例を示す図。
【図２】本考案のデキャッパの使用方法を説明する図。
【図３】図２同様の使用方法説明図。
【図４】図２同様の使用方法説明図。
【図５】バイアル瓶の一例を示す図。
【図６】従来のデキャッパの一例を示す図。
【図７】従来のデキャッパの使用方法を説明する図。
【図８】図７同様の使用方法説明図。
【図９】図７同様の使用方法説明図。
【考案を実施するための形態】
【００２０】
以下、本考案の実施形態について図面を用いて説明する。なお、本考案は、以下に説明するような実施形態に限定されるものではなく、本考案の趣旨を逸脱しない範囲で種々の態様が含まれる。
【００２１】
図１は、本考案に係るデキャッパの一例を示す図であって、図１（ａ）はデキャッパの裏面図であり、図１（ｂ）は図１（ａ）に示すＡ−Ａ線断面図である。なお、上述したデキャッパ２０１と同様のものについては、同じ符号を付している。
デキャッパ１０１は、一端部にキャッチ部１１１が形成されるとともに他端部にグリップ部１１２が形成された水平方向に所定長さを有する第一部材１１０と、一端部にキャッチ部１２１が形成されるとともに他端部にグリップ部１２２が形成された水平方向に所定長さを有する第二部材１２０と、第一部材１１０の中央部と第二部材１２０の中央部とがＺ方向を回転軸として回動可能となるように連結する回転軸部１３０とを備える。
【００２２】
第一部材１１０のキャッチ部１１１は、円弧部が外側に向いた半円柱状体であり、その半円柱状体の内側の下面には、蓋体２０の右半分が挿入されるための第一窪み１１１ａが形成されている。第一窪み１１１ａは、その深さがＺ１となり、かつ、中心軸がＺ方向に対して所定角度（９０−α）で傾いた半円柱形状をしている。
【００２３】
また、第二部材１２０のキャッチ部１２１は、円弧部が外側に向いた半円柱状体であり、その半円柱状体の内側の下面には、蓋体２０の左半分が挿入されるための第二窪み１２１ａが形成されている。第二窪み１２１ａは、その深さがＺ１より深いＺ２となり、かつ、中心軸がＺ方向に対して所定角度（９０−α）で傾いた半円柱形状をしている。
【００２４】
第一部材１１０の他端部のグリップ部１１２と第二部材１２０の他端部のグリップ部１２２とが近づくように回転することで、第一部材１１０の一端部のキャッチ部１１１と第二部材１２０の一端部のキャッチ部１２１とが近づくようになっている。一方、第一部材１１０の他端部のグリップ部１１２と第二部材１２０の他端部のグリップ部１２２とが離れるように回転することで、第一部材１１０の一端部のキャッチ部１１１と第二部材１２０の一端部のキャッチ部１２１とが離れるようになっている。
【００２５】
ここで、上述したデキャッパ１０１の使用方法について説明する。図２〜図４は、使用方法について説明するための図である。
まず、使用者は第一部材１１０の他端部のグリップ部１１２と第二部材１２０の他端部のグリップ部１２２とを手で握り、第一部材１１０の他端部のグリップ部１１２と第二部材１２０の他端部のグリップ部１２２とが離れるように回転させることにより、第一部材１１０の一端部のキャッチ部１１１と第二部材１２０の一端部のキャッチ部１２１とを所定の距離で離隔させて、その間にバイアル瓶１０を配置する。このとき、デキャッパ１０１を水平面に対して所定の角度αだけ傾けておく。
【００２６】
次に、使用者は、第一部材１１０の他端部のグリップ部１１２と第二部材１２０の他端部のグリップ部１２２とが近づくように回転させることにより、第一部材１１０の一端部のキャッチ部１１１を左上方から近接させるとともに第二部材１２０の一端部のキャッチ部１２１を右下方から近接させて、バイアル瓶１０にクリンプ止めされた蓋体２０のキャップ４０の上半分を、深さがＺ１となる第一窪み１１１ａの内側と、深さがＺ２となる第二窪み１２１ａの内側とで挟み込む（図２参照）。
【００２７】
さらに使用者は、第一部材１１０の他端部のグリップ部１１２と第二部材１２０の他端部のグリップ部１２２とが近づくように回転させることにより、第一部材１１０の一端部のキャッチ部１１１と第二部材１２０の一端部のキャッチ部１２１とをそれぞれ近接させて、キャップ４０の上半分を内側に押し込むとともに、キャップ４０の下半分を外側に引き出す。このとき、第一部材１１０の一端部のキャッチ部１１１を左上方から、また第二部材１２０の一端部のキャッチ部１２１を右下方からそれぞれ近づけているので、セプタム３０の右上部が支点となり、セプタム３０の左部が下方にずれていく（図３参照）。
そして、キャップ４０の下半分が外側に所定の距離だけ引き出されると、デキャッパ１０１を上方に動かすことで、バイアル瓶１０から蓋体２０を取り外す（図４参照）。
【００２８】
以上のように、本考案のデキャッパ１０１によれば、一つの動作で、キャップ４０とセプタム３０とを分けつつ、バイアル瓶１０から取り外すことができる。
【産業上の利用可能性】
【００２９】
本考案は、樹脂製のセプタムと金属製のキャップとからなる蓋体をバイアル瓶から取り外すためのデキャッパ等に利用することができる。
【符号の説明】
【００３０】
１０：  バイアル瓶
２０：  蓋体
３０：  セプタム
４０：  キャップ
１０１：  デキャッパ
１１０：  第一部材
１１１：  キャッチ部
１１１ａ：  第一窪み
１１２：  グリップ部
１２０：  第二部材
１２１：  キャッチ部
１２１ａ：  第二窪み
１２２：  グリップ部
１３０：  回転軸部
【図１】
0003194327.tif 000003
【図２】
0003194327.tif 000004
【図３】
0003194327.tif 000005
【図４】
0003194327.tif 000006
【図５】
0003194327.tif 000007
【図６】
0003194327.tif 000008
【図７】
0003194327.tif 000009
【図８】
0003194327.tif 000010
【図９】
0003194327.tif 000011